(57)【要約】【課題】現行光ディスクのフォーマットを流用して線方向に記録密度を向上した次世代光ディスクの記録再生装置において、現行光ディスクの記録再生互換を維持する。また、次世代光ディスクの記録再生性能を向上する。【解決手段】光源と、該光源から出射された光束を集光して光ディスクの情報記録面に光スポットを形成する対物レンズと、複数の領域に分割され前記光束の主光線を含む領域を変調して前記光スポットの形状を変化させる光変調手段と、を具備した光ピックアップを備え、該光ピックアップにより前記光ディスクから読み出した再生信号をＰＲＭＬ方式で所定の変調規則によるＮＲＺＩ信号に変換してデータ再生を行う。光ディスクに応じて、またドライブの動作状態に応じて、光スポット形状、レーザパワー設定およびＰＲＭＬのパラメータ設定を切替える。【選択図】図１
2011060396.tif 000002
【特許請求の範囲】
【請求項１】
光ディスク装置であって、
光源と、該光源から出射された光束を集光して光ディスクの情報記録面に光スポットを形成する対物レンズと、複数の領域に分割され前記光束の主光線を含む領域を変調して前記光スポットの形状を変化させる光変調手段と、を具備した光ピックアップと、
該光ピックアップにより前記光ディスクから読み出した再生信号をＰＲＭＬ方式で所定の変調規則によるＮＲＺＩ信号に変換してデータ再生を行う再生部とを有する光ディスク装置。
【請求項２】
光ディスク装置であって、
光源と、該光源から出射された光束を集光して光ディスクの情報記録面に光スポットを形成する対物レンズと、複数の領域に分割され前記光束の主光線を含む領域を変調して前記光スポットの形状を変化させる光変調手段と、を具備した光ピックアップと、
前記光変調手段を制御する光変調手段制御回路と、
タップ係数が可変なトランスバーサルフィルタと、
識別点レベルが可変なビタビ復号器と、該タップ係数と該識別点レベルを設定するパラメータ設定回路と、を備え、
第１の光ディスクに対して、前記光変調手段を動作状態として第１の光スポットを集光し、前記光源を第１の出射光量設定とし、前記トランスバーサルフィルタと前記ビタビ複合器を第１のパラメータ設定として、前記第１の光ディスクから読み出した再生信号をＰＲＭＬ方式で所定の変調規則によるＮＲＺＩ信号に変換してデータ再生を行い、
前記光変調手段を非動作状態として第２の光スポットを集光し、前記光源を第２の出射光量設定とし、前記トランスバーサルフィルタと前記ビタビ複合器を第２のパラメータ設定として前記第１の光ディスクに記録を行う光ディスク装置。
【請求項３】
前記第１の光ディスクに記録を行った後、前記光変調手段を非動作状態として第２の光スポットを集光し、前記光源を第２の出射光量設定とし、前記トランスバーサルフィルタと前記ビタビ複合器を第２のパラメータ設定として、前記記録データを再生して記録品質評価を行うことを特徴とする請求項２に記載の光ディスク装置。
【請求項４】
前記第１の光ディスクよりも線方向の記録密度が低い第２の光ディスクに対して、前記光変調手段を非動作状態として第２の光スポットを集光し、前記光源を第２の出射光量設定とし、前記トランスバーサルフィルタと前記ビタビ複合器を第３のパラメータ設定として、記録および再生を行うことを特徴とする請求項２または請求項３に記載の光ディスク装置。
【請求項５】
光ディスク装置であって、
光源と、該光源から出射された光束を集光して光ディスクの情報記録面に光スポットを形成する対物レンズと、複数の領域に分割され前記光束の主光線を含む領域を変調して前記光スポットの形状を変化させる光変調手段と、を具備した光ピックアップと、
前記光変調手段を制御する光変調手段制御回路と、
タップ係数が可変なトランスバーサルフィルタと、
識別点レベルが可変なビタビ復号器と、該タップ係数と該識別点レベルを設定するパラメータ設定回路と、を備え、
第１の光ディスクに対して、前記光変調手段を非動作状態として第２の光スポットを集光し、前記光源を第２の出射光量設定とし、前記トランスバーサルフィルタと前記ビタビ複合器を第２のパラメータ設定として、前記光ディスクから読み出した再生信号をＰＲＭＬ方式で所定の変調規則によるＮＲＺＩ信号に変換してデータ再生を行い、
再生結果を判定し、再生不良であれば前記光変調手段を動作状態として第１の光スポットを集光し、前記光源を第１の出射光量設定とし、前記トランスバーサルフィルタと前記ビタビ複合器を第１のパラメータ設定として、前記第１の光ディスクから読み出した再生信号をＰＲＭＬ方式で所定の変調規則によるＮＲＺＩ信号に変換してデータ再生を行う光ディスク装置。
【請求項６】
前記第１の光ディスクよりも線方向の記録密度が低い第２の光ディスクに対して、前記光変調手段を非動作状態として第２の光スポットを集光し、前記光源を第２の出射光量設定とし、前記トランスバーサルフィルタと前記ビタビ複合器を第３のパラメータ設定として、前記第２の光ディスクから読み出した再生信号をＰＲＭＬ方式で所定の変調規則によるＮＲＺＩ信号に変換してデータ再生を行うことを特徴とする請求項５に記載の光ディスク装置。
【請求項７】
前記第２の光ディスクに対して、前記光変調手段を非動作状態として第２の光スポットを集光し、前記光源を第２の出射光量設定とし、前記トランスバーサルフィルタと前記ビタビ複合器を第３のパラメータ設定として、前記トランスバーサルフィルタと前記ビタビ複合器を第３のパラメータ設定として、前記第２の光ディスクから読み出した再生信号をＰＲＭＬ方式で所定の変調規則によるＮＲＺＩ信号に変換してデータ再生を行い、
再生結果を判定し、再生不良であれば前記光変調手段を動作状態として第１の光スポットを集光し、前記光源を第１の出射光量設定とし、前記トランスバーサルフィルタと前記ビタビ複合器を第４のパラメータ設定として、前記第２の光ディスクから読み出した再生信号をＰＲＭＬ方式で所定の変調規則によるＮＲＺＩ信号に変換してデータ再生を行うことを特徴とする請求項５または請求項６に記載の光ディスク装置。
【請求項８】
光ディスク装置であって
光源と、該光源から出射された光束を集光して光ディスクの情報記録面に光スポットを形成する対物レンズと、複数の領域に分割され前記光束の主光線を含む領域を変調して前記光スポットの形状を変化させる光変調手段と、を具備した光ピックアップと、
前記光変調手段を制御する光変調手段制御回路と、
タップ係数が可変なトランスバーサルフィルタと、
識別点レベルが可変なビタビ復号器と、
該タップ係数と該識別点レベルを設定するパラメータ設定回路と、を備え、
第１の光ディスクに対して、前記光変調手段を動作状態として第１の光スポットを集光し、前記光源を第１の出射光量設定とし、前記トランスバーサルフィルタと前記ビタビ複合器を第１のパラメータ設定とし、
前記第1の光ディスクよりも線方向の記録密度が低い第２の光ディスクに対して、前記光変調手段を非動作状態として第２の光スポットを集光し、前記光源を第２の出射光量設定とし、前記トランスバーサルフィルタと前記ビタビ複合器を第２のパラメータ設定とし、
前記第１の光ディスクおよび第２の光ディスクから読み出した再生信号をＰＲＭＬ方式で所定の変調規則によるＮＲＺＩ信号に変換してデータ再生を行う光ディスク装置。
【請求項９】
前記光変調手段は、動作状態において所定の領域に入射した光束を所定の角度だけ旋光させる液晶素子と、偏光方向に応じて透過率が異なる偏光素子とで構成され、動作状態において前記光束の主光線を含む領域を強度変調して透過率を低下せしめることを特徴とする請求項１から請求項８のいずれかに記載の光ディスク装置。
【請求項１０】
動作状態における前記光束の主光線を含む領域の幅は入射光束径の１／４以上１／２以下であり、前記領域の透過率は４０％以上８０％以下であることを特徴とする請求項９に記載の光ディスク装置。
【請求項１１】
光ディスク装置による光ディスク記録再生方法であって、
前記光ディスク装置は、
光源と、該光源から出射された光束を集光して光ディスクの情報記録面に光スポットを形成する対物レンズと、複数の領域に分割され前記光束の主光線を含む領域を変調して前記光スポットの形状を変化させる光変調手段と、を具備した光ピックアップと、
前記光変調手段を制御する光変調手段制御回路と、
タップ係数が可変なトランスバーサルフィルタと、
識別点レベルが可変なビタビ復号器と、
該タップ係数と該識別点レベルを設定するパラメータ設定回路と、を備え、
第１の光ディスクに対して、前記光変調手段を動作状態として第１の光スポットを集光し、前記光源を第１の出射光量設定とし、前記トランスバーサルフィルタと前記ビタビ複合器を第１のパラメータ設定として、前記第１の光ディスクから読み出した再生信号をＰＲＭＬ方式で所定の変調規則によるＮＲＺＩ信号に変換してデータ再生を行い、
前記光変調手段を非動作状態として第２の光スポットを集光し、前記光源を第２の出射光量設定とし、前記トランスバーサルフィルタと前記ビタビ複合器を第２のパラメータ設定として前記第１の光ディスクに記録を行う光ディスク記録再生方法。
【請求項１２】
前記第１の光ディスクに記録を行った後、前記光変調手段を非動作状態として第２の光スポットを集光し、前記光源を第２の出射光量設定とし、前記トランスバーサルフィルタと前記ビタビ複合器を第２のパラメータ設定として、前記記録データを再生して記録品質評価を行うことを特徴とする請求項１１に記載の光ディスク記録再生方法。
【請求項１３】
前記第１の光ディスクよりも線方向の記録密度が低い第２の光ディスクに対して、前記光変調手段を非動作状態として第２の光スポットを集光し、前記光源を第２の出射光量設定とし、前記トランスバーサルフィルタと前記ビタビ複合器を第３のパラメータ設定として、記録および再生を行うことを特徴とする請求項１１又は請求項１２に記載の光ディスク記録再生方法。
【請求項１４】
光ディスク装置による光ディスク再生方法であって、
前記光ディスク装置は、
光源と、該光源から出射された光束を集光して光ディスクの情報記録面に光スポットを形成する対物レンズと、複数の領域に分割され前記光束の主光線を含む領域を変調して前記光スポットの形状を変化させる光変調手段と、を具備した光ピックアップと、
前記光変調手段を制御する光変調手段制御回路と、
タップ係数が可変なトランスバーサルフィルタと、
識別点レベルが可変なビタビ復号器と、
該タップ係数と該識別点レベルを設定するパラメータ設定回路と、を備え、
第１の光ディスクに対して、前記光変調手段を非動作状態として第２の光スポットを集光し、前記光源を第２の出射光量設定とし、前記トランスバーサルフィルタと前記ビタビ複合器を第２のパラメータ設定として、前記光ディスクから読み出した再生信号をＰＲＭＬ方式で所定の変調規則によるＮＲＺＩ信号に変換してデータ再生を行い、
再生結果を判定し、再生不良であれば前記光変調手段を動作状態として第１の光スポットを集光し、前記光源を第１の出射光量設定とし、前記トランスバーサルフィルタと前記ビタビ複合器を第１のパラメータ設定として、前記第１の光ディスクから読み出した再生信号をＰＲＭＬ方式で所定の変調規則によるＮＲＺＩ信号に変換してデータ再生を行う光ディスク再生方法。
【請求項１５】
前記第１の光ディスクよりも線方向の記録密度が低い第２の光ディスクに対して、前記光変調手段を非動作状態として第２の光スポットを集光し、前記光源を第２の出射光量設定とし、前記トランスバーサルフィルタと前記ビタビ複合器を第３のパラメータ設定として、前記第２の光ディスクから読み出した再生信号をＰＲＭＬ方式で所定の変調規則によるＮＲＺＩ信号に変換してデータ再生を行うことを特徴とする請求項１４に記載の光ディスク再生方法。
【請求項１６】
前記第２の光ディスクに対して、前記光変調手段を非動作状態として第２の光スポットを集光し、前記光源を第２の出射光量設定とし、前記トランスバーサルフィルタと前記ビタビ複合器を第３のパラメータ設定として、前記トランスバーサルフィルタと前記ビタビ複合器を第３のパラメータ設定として、前記第２の光ディスクから読み出した再生信号をＰＲＭＬ方式で所定の変調規則によるＮＲＺＩ信号に変換してデータ再生を行い、
再生結果を判定し、再生不良であれば前記光変調手段を動作状態として第１の光スポットを集光し、前記光源を第１の出射光量設定とし、前記トランスバーサルフィルタと前記ビタビ複合器を第４のパラメータ設定として、前記第２の光ディスクから読み出した再生信号をＰＲＭＬ方式で所定の変調規則によるＮＲＺＩ信号に変換してデータ再生を行うことを特徴とする請求項１４または請求項１５に記載の光ディスク再生方法。
【請求項１７】
光ディスク装置による光ディスク再生方法であって
前記光ディスク装置は、
光源と、該光源から出射された光束を集光して光ディスクの情報記録面に光スポットを形成する対物レンズと、複数の領域に分割され前記光束の主光線を含む領域を変調して前記光スポットの形状を変化させる光変調手段と、を具備した光ピックアップと、
前記光変調手段を制御する光変調手段制御回路と、
タップ係数が可変なトランスバーサルフィルタと、
識別点レベルが可変なビタビ復号器と、
該タップ係数と該識別点レベルを設定するパラメータ設定回路と、を備え、
第１の光ディスクに対して、前記光変調手段を動作状態として第１の光スポットを集光し、前記光源を第１の出射光量設定とし、前記トランスバーサルフィルタと前記ビタビ複合器を第１のパラメータ設定とし、
前記第1の光ディスクよりも線方向の記録密度が低い第２の光ディスクに対して、前記光変調手段を非動作状態として第２の光スポットを集光し、前記光源を第２の出射光量設定とし、前記トランスバーサルフィルタと前記ビタビ複合器を第２のパラメータ設定とし、
前記第１の光ディスクおよび第２の光ディスクから読み出した再生信号をＰＲＭＬ方式で所定の変調規則によるＮＲＺＩ信号に変換してデータ再生を行う光ディスク再生方法。
【発明の詳細な説明】
【技術分野】
【０００１】
本発明は、光ディスク装置及び光ディスク記録再生方法に関する。
【背景技術】
【０００２】
背景技術として、例えば、特許文献１（特開２００６−１４０４９号公報）、特許文献（特開平１０−１０６１６１号公報）、特許文献３（特開平６−２９０４８５号公報）がある。
【０００３】
特許文献１には、「単一の記録再生装置において、例えば、ＰＲ（１，２，１）とＰＲ（１，３，３，１）のように拘束長の異なる複数の動作モードを備えることが要求されている。」と記載されている。
【０００４】
また特許文献１には、「この回路においては、それぞれの動作モードに最適なＰＲクラスを選択することができるので、再生特性の向上を図ることができる。」と記載されている。
【０００５】
特許文献２には、「光ディスク１として用いる媒体の種類の依存した光ディスク１からの再生波形の特性（ビットエラー率）に応じて、ＰＲ等化における符号間干渉付与値のＸの値を選定し、このＸの値からトランスバーサルフィルタ３のタップ係数と、ＭＬ復号器１１における識別点信号レベルを求めることにより、光ディスク１として用いる媒体の種類が異なっても、正しく再生を行うことが可能となる。」と記載されている。
【０００６】
特許文献３には、「制御手段１１０を操作して中央部１１２の光透過率を０、すなわち遮光状態にしたときは、図３８の従来の遮光版１０７と同様に１方向に径を縮小した超解像スポットを得る。また制御手段１１０を操作して中央部１１２の光透過率を１、すなわち素通しにしたときは、超解像を用いない通常の集光スポットを得る。これにより、記録密度の高い媒体に対しては小径の集光スポットを用いて駆動し、記録密度の低い媒体に対しては通常の集光スポットを用いて駆動することができる。従って、従来規格の媒体と大容量媒体を同一のヘッドで扱うことができる。」と記載されている。
【０００７】
また特許文献３には、「記録時はスポット径を絞らない。ここで変調手段１１１でコリメートビームに振幅変調をかける方式では、既に指摘したようにレーザパワーの損失が大きい。一方、光ディスク装置では、半導体レーザの最大出力パワーの限界によってデータ転送速度（すなわちディスクの回転数）の上限が制約され、あるいは、記録媒体で使用可能な記録パワーの上限が抑えられる。これにより、レーザパワーの損失は性能上問題が大きい。したがって記録時や消去時には、できれば振幅変調をかけずに駆動するのが望ましい。ところで、記録時の集光スポット径は、再生時ほど縮小しなくとも動作可能である。」と記載されている。
【０００８】
また特許文献３には、「実施例１８は最適と判断した集光スポットを得られるように設定していた変調信号を、あらかじめ定めておいた範囲で変化させ、リトライ再生を行う。これにより、信号の読取り不能状態を回避できる可能性が増加し、データ保存の信頼性向上を図ることができる。」と記載されている。
【先行技術文献】
【特許文献】
【０００９】
【特許文献１】特開２００６−１４０４９号公報
【特許文献２】特開平１０−１０６１６１号公報
【特許文献３】特開平６−２９０４８５号公報
【発明の概要】
【発明が解決しようとする課題】
【００１０】
高精細映像を２時間以上記録可能な光ディスクとして、Ｂｌｕ−ｒａｙ  Ｄｉｓｃ（ブルーレイディスク）（以降、ＢＤと略称する）が開発・製品化されている。片面１層あたり２５ＧＢの容量を実現しているＢＤにおいては、光源として波長４０５ｎｍ帯（青紫色）の半導体レーザが用いられ、対物レンズの開口数は０．８５である。変調符号については１−７ＰＰ変調が採用されており、データ検出窓幅をＴとすると最短マーク長及び最短スペース長は２Ｔであって、約０．１５μｍである。また、トラックピッチは約０．３２μｍである。
【００１１】
現行ＢＤの光学系や信号フォーマットを流用して、記録密度を対現行ＢＤ比約１．３５倍に高密度化した光ディスク（以降、次世代ＢＤと称する）の開発が検討されている。これは片面１層あたり約３３ＧＢに相当し、これを３層ないし４層の多層構造とすることによって片面あたり１００ＧＢ超の大容量ディスクの実現を目指すものである。
【００１２】
次世代ＢＤの記録再生装置においては、現行ＢＤも記録再生可能であること、即ち互換性が要求される。
【００１３】
単一の装置で密度の異なる複数のディスクに対して互換性を確保する技術に関して、前記特許文献１及び特許文献２には再生系にＰＲＭＬ方式を採用し、前者においてはＰＲの拘束長を切替えて対応する技術が開示されており、後者においてはＰＲクラスを切替えると共にトランスバーサルフィルタのタップ係数とＭＬ復号器の識別点信号レベルとを切替えて対応する技術が開示されている。また前記特許文献３には集光スポット形状を切替えて対応する技術が開示されている。
【００１４】
ところで、現行ＢＤにおいては、前述の波長と対物レンズの開口数とから計算される光学系のカットオフ空間周波数は約４２００本／ｍｍである。一方、最短マーク及び最短スペースの繰返しパターンの空間周波数は約３３６０本／ｍｍであり、カットオフ空間周波数の約８０％であった。ところが次世代ＢＤにおいては、最短マーク及び最短スペースの繰返しパターンの空間周波数は約４４３０本／ｍｍであり、カットオフ空間周波数の約１０５％である。即ち、最短マーク及び最短スペースの再生信号振幅が得られないという、従来は考慮されていなかった課題がある。
【００１５】
本発明は、以上を鑑みてなされたものであり、本発明の目的は、該次世代ＢＤの記録再生装置において現行ＢＤの記録再生互換を維持することである。また、本発明の別の目的は、次世代ＢＤの記録再生性能を向上することである。また、本発明の更に別の目的は、例えば片面１層あたり３６ＧＢなどの更なる高密度化を可能とすることである。
【課題を解決するための手段】
【００１６】
上述の課題を解決するために、本発明では一例として特許請求の範囲記載の構成を用いる。
【発明の効果】
【００１７】
本発明によれば、次世代ＢＤの記録再生装置において現行ＢＤの記録再生互換を維持することができる。
【図面の簡単な説明】
【００１８】
【図１】本発明による光ディスク装置の第１実施例における記録再生動作のフローチャートである。
【図２】第１実施例における光ピックアップの構成図である。
【図３】第１実施例における光変調手段の平面図である。
【図４】第１実施例における第１の光スポットのディスク接線方向に関する強度分布の計算結果の一例である。
【図５】第１実施例におけるトランスバーサルフィルタのブロック図である。
【図６】第１実施例における光学系のＭＴＦ計算結果の一例である。
【図７】第１実施例における光学系のＭＴＦ計算結果に関して、Ｘ軸をマーク長およびスペース長としてプロットした図である。
【図８】第３実施例における光学系のＭＴＦ計算結果に関して、Ｘ軸をマーク長およびスペース長としてプロットした図である。
【図９】第１実施例における光ディスク装置のブロック図である。
【図１０】第２実施例における記録再生動作のフローチャートである。
【発明を実施するための形態】
【００１９】
以下、本発明に従う光ディスク装置及び光ディスク記録再生方法の実施例を、図面を用いて詳細に説明する。以下の実施例に示される光ディスク装置によれば、特に最短マーク及び最短スペースの繰り返しパターンの空間周波数を光学系のカットオフ周波数以上に高密度化した光ディスクを、安定して記録再生可能となる。
【実施例１】
【００２０】
本発明の実施例としての次世代ＢＤの記録再生装置の構成ならびに動作を、図面を参照しながら説明する。
【００２１】
図２は第１実施例における光ピックアップの構成図である。本実施例における光ピックアップは、ＢＤの対応波長である４０５ｎｍ帯のレーザ光源１と、このレーザ光源１を駆動するレーザ駆動回路１２と、このレーザ光源１から放射された光束を平行光束に変換するコリメートレンズ２と、平行光束が透過する際に光束の一部に対して振幅を変調可能な光変調手段３と、所定の直線偏光を略１００％透過し、この直線偏光と直交する直線偏光を略１００％反射する偏光ビームスプリッタ４と、直線偏光を円偏光に変換し、また、円偏光を直線偏光に変換する１／４波長板５と、レンズ間距離が可変な２枚組合せレンズで構成されて装着された光ディスク１４のカバー層厚さに応じて平行光束の球面収差を調整する球面収差補正手段６と、平行光束を光ディスク１４の所定の情報記録層に所定のＮＡ且つ所定の収差量以下で光スポットを形成する対物レンズ７と、この対物レンズ７をフォーカシング方向及びトラッキング方向に変位させるための対物レンズアクチュエータ８と、を備える。また、レーザ光源１から放射された光束の一部を受光して電気信号に変換するフロントモニタ１１と、ディスクからの反射光束を所定の収束光束に変換する検出レンズ９と、この収束光束を受光して電気信号に変換する光検出器１０と、を備える。
【００２２】
レーザ光源１から放射された直線偏光の光束は、コリメートレンズ２で平行光束に変換され、光変調手段３に入射する。
【００２３】
本実施例の光変調手段３は、ディスク接線方向に対応する方向に関して３つの領域に分割された液晶素子と、所定の直線偏光を略１００％透過し、この直線偏光と直交する直線偏光を略１００％反射する偏光素子と、で構成される。図３は本実施例の光変調手段３の平面図であり、液晶素子の分割パターンの一例を示している。本実施例においては中央部領域の幅は入射光束径の略１／３である。この中央部領域は、光変調手段制御回路１３を介して電気的に動作させることで旋光度の制御が可能であり、動作状態においては透過光束が入射光束に対して３０°旋光し、非動作状態においては旋光しない。一方、両側の側部領域に入射した直線偏光については、偏光方向が変化せずに透過する。また、偏光素子は、この側部領域を透過した直線偏光および非動作状態で中央部を透過した直線偏光が、略１００％透過する配置とする。
【００２４】
前述の平行光束は、液晶素子に所定の直線偏光で入射する。入射光束の中心は、ディスク接線方向に関して、中央部領域の中心と概ね一致させる。光変調手段制御回路１３を介して液晶素子を動作状態とした場合には、中央部を透過した光束は略３０°旋光し、その結果、偏光素子を透過する光束は振幅が概ね０．８７倍の直線偏光となる。即ち、中央部の透過光強度が入射光強度の概ね７５％に減光される。また、液晶素子が非動作状態の場合には、中央部を透過した光束は旋光せず、偏光素子を透過する光束の振幅は入射光束と変わらない。即ち、中央部の透過光強度は入射光強度と変わらず概ね１００％である。一方、側部を透過する光束については、液晶素子が動作状態か非動作状態かに関わらず、透過光強度は入射光強度と変わらず概ね１００％である。
【００２５】
光変調手段３を透過した光束は光変調手段３が動作状態か非動作状態かに関わらず所定の直線偏光であり、この直線偏光を略１００％透過する方向に配置された偏光ビームスプリッタ４に入射する。偏光ビームスプリッタ４を透過した光束は、次いで、１／４波長板５で円偏光に変換され、球面収差補正手段６で所定の球面収差が付与された後、対物レンズ７に導かれる。対物レンズ７は入射した光束を光ディスク１４の情報記録層に集光して光スポットを形成する。
【００２６】
ここで、本実施例においては、前述の光変調手段３が動作状態か非動作状態かによって、光スポットの形状が異なることについて説明する。
【００２７】
対物レンズ７の入射瞳上の光強度分布は図３に示した入射光束径と各領域との関係に対応する。即ち、入射瞳はディスク接線方向に関して略３等分され、光変調手段３が動作状態か非動作状態かに応じて、中央部の光強度が変化する。
具体的には、光変調手段３が非動作状態において第１の光スポットを形成するが、光変調手段３の各領域の透過率は等しく、入射瞳上の光強度分布はレーザ光源１から出射するガウス分布状の光強度分布に対応した連続的な光強度分布である。図４はこの第１の光スポットの強度分布に関する計算結果の一例であって、ディスク接線方向に関する断面図である。これは現行ＢＤの記録再生装置における光スポットと同等の光強度分布を示している。
【００２８】
一方、光変調手段３が動作状態においては、光変調手段３の中央部の透過率が概ね７５％に低下するが、側部の透過率は非動作状態と変わらないので、入射瞳上の光強度分布は、中央部の光強度が相対的に低下すると共に中央部と側部とで不連続な光強度分布となる。その結果、第１の光スポットとは形状の異なる第２の光スポットを形成する。ディスク接線方向に関しては、入射瞳上での不連続な光強度分布を反映して、所謂、超解像による光スポットの傾向を示す。即ち、ピーク強度の１／ｅ＾２となる２点間の距離で定義する光スポット径については相対的に縮小され、サイドローブのピーク強度については相対的に増加する傾向を示す。本実施例における計算結果の一例によれば、ディスク接線方向に関して第２の光スポットの光スポット径は０．４１１μｍであり、第１の光スポットの光スポット径は０．４１６μｍであり、縮小される。
【００２９】
一方で、ディスク半径方向に関しては、光変調手段３が動作状態か非動作状態かで、スポット形状に有意差は無い。また、対物レンズアクチュエータ８によって対物レンズ７がトラッキング方向、即ちディスク半径方向に変位しても入射瞳上で前述の３等分された領域が変化しないことから、トラッキング動作時における光スポットの形状変化を、光変調手段３が非動作状態における第１の光スポットの形状変化と同程度に抑制することができる。
【００３０】
光ディスク１４で反射した光束は再び対物レンズ７と球面収差補正手段６を透過し、１／４波長板５で光変調手段３を透過する直線偏光と直交する直線偏光に変換される。この光束は偏光ビームスプリッタ４で略１００％反射され、検出レンズ９で所定の収束光束に変換されて光検出器１０に導かれる。
【００３１】
ここで、本実施例の光学系におけるＭＴＦ（Ｍｏｄｕｌａｔｉｏｎ  Ｔｒａｎｓｆｅｒ  Ｆｕｎｃｔｉｏｎ）の計算結果の一例を図６に示す。ＤＣ（空間周波数＝０本／ｍｍ）でのゲインを１として規格化した。なお、ピット形状等のディスク構造の影響は考慮していない。
【００３２】
現行ＢＤに対応する光学系のＭＴＦと比較すると、カットオフ空間周波数については、光変調手段３が動作状態か非動作状態かに関わらず開口数と波長とで決まり、約４２００本／ｍｍで一致している。一方、ゲインについては、光変調手段３が非動作状態においては現行ＢＤと同様の特性であるが、光変調手段３が動作状態においては、高周波数側で増加し低周波側で減少する特性を示す。斯様なゲイン変化を示す特性は前述の超解像による光スポットに特徴的である。
【００３３】
本実施例では、長マークおよび長スペースの再生波形の歪みを抑制するために、敢えてゲインが空間周波数に対して単調減少となるようにしているが、光変調手段３のパターン及び動作時の透過率を本実施例とは異なる構成にすることで入射瞳上の光強度分布を変更し、本実施例とは異なるゲイン特性を得ることが可能である。定性的には、中央部の幅を大きくするほど、また、透過率を低下させるほど、高周波側でのゲインを増加し低周波側でのゲインを減少させることができる。
【００３４】
図７は、図６に示すＭＴＦの計算結果を元にして、Ｘ軸をマーク長、スペース長とし、Ｙ軸をこのマーク長およびスペース長の繰返しパターンに対するＭＴＦのゲインとしてプロットした図である。現行ＢＤにおいては２Ｔのマーク長、スペース長に対して０．１程度のゲインであるが、次世代ＢＤにおいては２Ｔマーク長、スペース長に対してゲインが０であって再生信号振幅が得られない。
【００３５】
ところで、本実施例においてはＰＲＭＬ方式による再生信号処理を行う。ＰＲＭＬ方式とは、符号間干渉を伝送路の伝達関数としてモデル化し、符号間干渉を受けて歪んだ波形に逆伝達関数を乗じて元の波形を予測するＰＲ法と、過去のデータ列をもとにして本来のデータに一番近いデータ列を導くアルゴリズムであるＭＬ法とを組合せた再生信号処理の方式である。ＰＲＭＬ方式の詳細説明は省略するが、本方式を用いることにより、２Ｔ信号振幅が得られずとも振幅のない信号を２Ｔと判定することでデータ再生が可能となる。ただし、３Ｔ信号の振幅が必ずしも大きくはないことから、２Ｔ信号と３Ｔ信号との誤判別が発生しやすいという課題がある。そこで、エラー率の低い安定なデータ再生を実現するためには、３Ｔ信号のＣＮＲ（Ｃａｒｉｅｅｒ  ｔｏ  Ｎｏｉｓｅ  Ｒａｔｉｏ）の確保が重要である。
【００３６】
本実施例においては、光変調手段３を動作状態にすることで、図７に示す如く３Ｔ信号のゲインが増加、即ち、３Ｔ信号のＣＮＲ向上が可能であり、非動作状態と比較して２ｄＢ程度のＣＮＲ改善が見込まれる。
【００３７】
図９は本実施例の光ディスク記録再生装置のブロック図である。本実施例の光ディスク記録再生装置は、光ピックアップ１８と、スピンドルモータ１９と、スライダ機構２０と、システム制御回路２１と、サーボ制御回路２２と、光変調手段制御回路１３と、サーボ信号生成回路２３と、再生信号生成回路２４と、ＰＲＭＬ再生回路２６と、エンコーダ２５と、デコーダ３０と、を備える。
【００３８】
光ピックアップ１８の構成並びに動作は前述したとおりである。
【００３９】
システム制御回路２１は、本実施例の光ディスク記録再生装置全体の動作を制御する機能を備えている。即ち、サーボ制御回路２２を介して、スピンドルモータ１９に装着された光ディスク１４の回転制御を行い、スライダ機構２０を駆動して光ピックアップ１８を光ディスク１４の半径方向に変位させるアクセス制御及び送り制御を行い、光ピックアップ１８に搭載されている対物レンズアクチュエータ８を駆動して対物レンズ７のフォーカス制御及びトラッキング制御を行い、同じく光ピックアップ１８に搭載されている球面収差補正手段６を駆動して球面収差を補正する。また、前述したように光変調手段制御回路１３を介して、光変調手段３の動作状態と非動作状態とを切替える。
【００４０】
また、システム制御回路２１は、光ピックアップ１８に搭載されたフロントモニタ１１の出力に基づいて、レーザ光源１の出射光量が所定の光量となるように、レーザ駆動回路１２を介してこのレーザ光源１を駆動する。記録時には、記録データ信号がエンコーダ２５によって所定の変調規則によるＮＲＺＩ信号に変換されてシステム制御回路２１に供給され、システム制御回路２１はこのＮＲＺＩ信号に対応した記録ストラテジ（発光パルス列）に変換して、所定の光強度及びパルス幅でレーザ光源１を発光させる。
【００４１】
光ディスク１４からの反射光束は光検出器１０で受光されて電気信号に変換され、サーボ信号生成回路２３及び再生信号生成回路２４とに送られる。サーボ信号生成回路２３では、装着された光ディスク１４に好適な検出方法で各種のサーボ信号を選択して生成し、システム制御回路２１に供給する。サーボ信号にはフォーカス誤差信号とトラッキング誤差信号とが含まれる。システム制御回路２１では、これらサーボ信号に基づき、前述したようにサーボ制御回路を介して対物レンズアクシュエータ８を駆動し、フォーカスサーボ及びトラッキングサーボを動作させる。またサーボ信号生成回路２３で生成されたプッシュプル信号の振幅や再生信号生成回路２４を介して供給された再生信号の振幅に基づいて、サーボ制御回路２２を介して球面収差補正手段６を駆動し、光ディスク１４のカバー層厚さに対応して球面収差を補正する。
【００４２】
再生信号生成回路２４は、波形等化回路とＡ／Ｄコンバータとを備えており、光ピックアップ１８から供給されたアナログの再生信号に対して、所定の波形等化処理の後、標本化及び量子化を行ってデジタル信号に変換し、ＰＲＭＬ再生回路２６に供給する。
【００４３】
ＰＲＭＬ再生回路２６は、トランスバーサルフィルタ２７と、ビタビ復号回路２８と、ＰＲＭＬ再生系パラメータ設定回路２９とを備える。再生信号生成回路２４から供給されたデジタル信号は、トランスバーサルフィルタ２７で所定のＰＲクラスに等化される。ビタビ復号器２８は最尤復号を行ってこの等化波形を所定の変調規則によるＮＲＺＩ信号に変換する。ＰＲＭＬ再生系パラメータ設定回路２９は、ビタビ復号器２８により生成されたＮＲＺＩ信号のエラーを評価する機能を備えている。また、ＰＲクラスおよび再生波形生成回路２４から供給された信号レベルに対応したトランスバーサルフィルタ２７によるＰＲ等化後の目標波形を決定し、この目標波形および前述のエラー評価結果に基づいて、トランスバーサルフィルタ２７のタップ係数とビタビ復号器２８における識別点レベルとを設定する機能を備えている。
【００４４】
図５は本実施例におけるトランスバーサルフィルタ２７のブロック図である。１Ｔ相当の遅延時間を有する１６個の遅延回路１５を直列接続し、各遅延回路の入出力端の信号に対して増幅器１６により重み付けを行い、重み付け後の信号を加算器１７により加算してＰＲ等化波形を生成する。ここで、各増幅器１６のゲインを特にタップ係数と呼ぶ。本実施例においては１５個の増幅器を備えており、Ｃ０、・・・、Ｃ３、Ｃ５、・・・、Ｃ１１、Ｃ１３、・・・、Ｃ１６のタップ係数が可変である。
ＰＲＭＬ再生回路２６で生成されたＮＲＺＩ信号はデコーダ３０によって、再生データ信号に変換される。
【００４５】
図１は本実施例の記録再生動作のフローチャートである。まず、ステップ１００として、装着されたディスクが現行ＢＤであるか次世代ＢＤであるかを判断する。現行ＢＤの場合には、現行ＢＤの記録再生装置で行われている記録再生処理に準じた現行ＢＤ処理フローに分岐する。次世代ＢＤの場合には、ステップ１０１として処理内容が記録動作か再生動作かを判断する。つまり、ホストからの命令が記録か再生かで処理を分岐する。
【００４６】
記録の場合には、ステップ１０２として、光ピックアップ１８の光変調手段３を非動作状態とし第１の光スポットに設定する。
光変調手段３が動作状態か非動作状態かによって、レーザ光源１の発光パワーと対物レンズ７により集光される光スポットの実効パワーとの比率（以下、光利用効率と呼ぶ）が異なるため、同じ駆動電流をレーザ光源１に供給して発光させても実際に対物レンズ７から出射されて光ディスク１４に集光される光スポットのパワーは異なる。そこで、ステップ１０３として、光変調手段３が非動作状態である第１の光利用効率に対応した第１レーザパワー設定を行う。
【００４７】
本実施例においては、フロントモニタ１１を光変調手段３と対物レンズ７との間に備え、光変調手段３の状態がフロントモニタ１１の出力信号と光スポットの実効パワーとの関係には影響しない構成としている。再生パワーについては、フロントモニタ１１の出力信号が目標レベルになるように駆動電流を設定することにより設定可能である。記録パワーについては、フロントモニタ１１の帯域不足や出力信号の飽和を勘案し、予め係数をメモリに記憶しておいたレーザ光源１の駆動電流とフロントモニタ１１の出力信号との第１の関係式を参照して設定する。通常、この関係式はレーザ発光の範囲においては１次式で近似できる。
【００４８】
なお、本実施例においては、光ディスク１４からの反射光束が光変調手段３を透過しない構成とすることで、検出信号のＳＮＲ（Ｓｉｇｎａｌ  ｔｏ  Ｎｏｉｓｅ  Ｒａｔｉｏ）の低下を抑制すると共に、光変調手段３の状態に応じた光検出器１０の出力ゲイン切替えを不要としている。
【００４９】
ステップ１０４として、第１再生回路設定を行う。即ち、前述したＰＲＭＬ再生系パラメータ設定回路２９により、トランスバーサルフィルタ２７のタップ係数とビタビ復号器２８の識別点レベルとを設定する。本実施例において、次世代ＢＤに対応するＰＲクラスはＰＲ（１，２，２，２，１）である。また、光スポットにおけるサイドローブの位置は、次世代ＢＤにおけるスポットの走査時間に対応させると、概ね７Ｔがピークなので、対応するタップ係数Ｃ０、Ｃ１、Ｃ２及びＣ１４、Ｃ１５、Ｃ１６を０に設定し、サイドローブによって検出される信号成分をマスクする。
【００５０】
ステップ１０５として、記録を行うセクタにアクセスし、レーザ光源１を記録パワーで発光させて記録を行う。記録時には光変調手段３を非動作状態としていることで光利用効率の低下を抑制しレーザ光源への負担を軽減することができる。大電流でレーザ光源１を駆動する高パワー発光は、発熱量の増加、寿命の短縮に影響する。
【００５１】
ステップ１０６として、ベリファイ処理の有無を判定し、分岐する。ベリファイを実施しない場合には、処理を終了する。ベリファイを実施する場合には、第１の光スポット設定、第１レーザパワー設定、第１再生回路設定を変更することなく、ステップ１０７にて記録したセクタにアクセスし、データを再生して記録品質を評価する。ステップ１０８として、記録品質の判定を行い、不良判定の場合には、再度ステップ１０５に戻って記録処理を行う。良判定の場合には、処理を終了する。
【００５２】
前記ステップ１０１において再生であった場合には、ステップ１０９として、光ピックアップ１８の光変調手段３を動作状態とし第２の光スポットに設定する。
【００５３】
ステップ１１０として、光変調手段３が動作状態である第２の光利用効率に対応した第２レーザパワー設定を行う。前述したように、再生パワーについては、フロントモニタ１１の出力信号が目標レベルになるように駆動電流を設定することにより設定可能である。また必要に応じて、予め係数をメモリに記憶しておいたレーザ光源１の駆動電流とフロントモニタ１１の出力信号との第２の関係式を参照する。
【００５４】
ステップ１１１として、第２再生回路設定を行う。前記ステップ１０４と同様に、トランスバーサルフィルタ２７のタップ係数とビタビ復号器２８の識別点レベルとを設定するが、ＭＴＦに応じて再生信号波形が異なるので設定値は違う値となる。第２の光スポットにおいても、次世代ＢＤにおけるスポットの走査時間に対応させたサイドローブの位置は概ね７Ｔがピークであり、対応するタップ係数Ｃ０、Ｃ１、Ｃ２及びＣ１４、Ｃ１５、Ｃ１６を０に設定してサイドローブによって検出される信号成分をマスクする。
【００５５】
ステップ１０７として、再生を行うセクタにアクセスし、再生を行う。前述のとおり、光変調手段３を動作させることで光スポットが縮小してＭＴＦの特性が変化し、図７に示したように３ＴのＣＮＲが向上することから、ＰＲＭＬ再生系における２Ｔ信号と３Ｔ信号との誤判別を抑制してビットエラー率が改善する。即ち、再生性能が向上する。
なお、前記ステップ１０２ないしステップ１０４、および、前記ステップ１０９ないしステップ１１１については、既に設定済であればスキップ可能である。
【００５６】
前述のベリファイにおいては、記録を行うのと同じ第１の光スポットで再生を行う。上記第２の光スポットで再生を行うよりも再生性能において劣るが、厳しい条件で記録品質を評価することにより、異なる装置で光ディスク１４を記録再生する装置互換での安定性が向上する。また、光変調手段３の動作状態と非動作状態の切替えには所定の時間が必要であるが、記録とベリファイ再生とで各設定を変更しないことにより、切替える場合と比較してベリファイを含む記録時間を短縮する効果がある。
【００５７】
前述の現行ＢＤ処理フローについては、詳細説明は省略するが、記録か再生かベリファイ再生か、に関わらず、光変調手段３を非動作状態として第１の光スポットを設定し、第１レーザパワー設定とする。また、ＰＲクラスをＰＲ（１，２，２，１）とした第３再生回路設定とする。サイドローブについては、現行ＢＤにおけるスポットの走査時間に対応させると、概ね５Ｔがピークなので、対応するタップ係数Ｃ１、Ｃ２、Ｃ３及びＣ１３、Ｃ１４、Ｃ１５を０に設定し、サイドローブによって検出される信号成分をマスクする。
【００５８】
現行ＢＤに対しては、斯様に現行ＢＤ対応の従来の記録再生装置と同等に構成可能であり、記録ストラテジ等の設計ノウハウを流用できる。また従来の記録再生装置において本実施例で記録した光ディスク１４を再生する、あるいはその逆といった、装置互換の安定性を容易に確保することができる。
【００５９】
なお、現行ＢＤに対する再生については、ＰＲクラスを次世代ＢＤと同じくＰＲ（１，２，２，２，１）としてもよいし、ＰＲＭＬ方式に限らずレベルスライス方式を用いてもよい。
【００６０】
ところで、本実施例の光変調手段３の液晶素子は旋光性の制御が可能な構成としたが、これに限らず複屈折による偏光制御が可能な構成としてもよい。また本実施例の光変調手段３は振幅を変調する構成としたが、これに限らず屈折率や光路長が制御可能であって位相を変調する構成としてもよい。
【実施例２】
【００６１】
図１０は第２実施例における記録再生動作のフローチャートである。なお、本実施例における記録再生装置の構成は第１実施例と同様であり、説明を省略する。
【００６２】
ステップ１０２として、第１実施例と同様に、光変調手段３を非動作状態に設定して第１の光スポットとする。
ステップ１０３として、第１実施例と同様に、第１レーザパワー設定を行う。
ステップ１００として、ディスクが現行ＢＤか次世代ＢＤかを判断して分岐処理を行う。現行ＢＤの場合には、現行ＢＤ処理フローに分岐する。
次世代ＢＤの場合には、ステップ１０４として、第１実施例と同様に、第１再生回路設定を行う。
ステップ１０１として、処理内容が記録動作か再生動作かを判断する。つまり、ホストからの命令が記録か再生かで処理を分岐する。
記録の場合には、第１実施例と同様であり、ステップ１０５として、記録するセクタにアクセスし、レーザ光源を記録パワーで発光させて記録を行う。ステップ１０６でベリファイ処理の有無を判定し、ベリファイを実施しない場合には、処理を終了する。ベリファイを実施する場合には、ステップ１０７にて記録したセクタにアクセスし、データを再生して記録品質を評価する。ステップ１０８として、記録品質の判定を行い、不良判定の場合には、再度ステップ１０５に戻って記録処理を行う。良判定の場合には、処理を終了する。
再生の場合には、ステップ１０７として、再生するセクタにアクセスし、再生を行う。ステップ１０８として再生結果を評価し、再生エラーがない場合には処理を終了する。
再生エラーがある場合には、ステップ１０９として、第１実施例と同様に、光変調手段３を動作状態に設定して第２の光スポットとする。
ステップ１１０として、第１実施例と同様に、第２レーザパワー設定を行う。
ステップ１１１として、第１実施例と同様に、第２再生回路設定を行う。
この状態で、ステップ１０７として、再生するセクタにアクセスし、再生を行い、処理を終了する。
【００６３】
即ち、１回目の再生でエラーがあった場合に、光変調手段３を動作させると共に各設定条件を変更し、リトライ再生を行う。このリトライ時には、前述したように３ＴのＣＮＲが向上してビットエラー率が改善するので、再生可能となる確率が向上する。
【００６４】
以上説明したように、本実施例の動作は、リトライ時にのみ光変調手段３を動作させる点で、第１実施例と異なる。ディスク再生可否という点で再生能力は第１実施例と同等であり、一方で、光変調手段３および各設定を切替える頻度の低下が期待できるので、記録再生処理にかかる平均時間の短縮や、平均レーザ駆動電流の低減による発熱量抑制などに有効である。
【００６５】
本実施例では、次世代ＢＤに対するリトライについてのみ説明したが、現行ＢＤのリトライ再生に対しても適用可能である。即ち、現行ＢＤのリトライ再生時には、光変調手段３を動作状態に設定して第２の光スポットとし、第２レーザパワー設定とする。また、これらの設定条件に適合した第４の再生回路設定とする。これにより、現行ＢＤに対する再生能力が向上する。
【実施例３】
【００６６】
以下、第３実施例について説明する。本実施例においては、光ディスク１４の記録密度を現行ＢＤの１．４５倍、即ち、片面１層あたり３６ＧＢに高密度化した光ディスクに記録再生を行う。
【００６７】
本実施例の記録再生装置においては、前述の液晶素子の中央部は動作時において透過光を略４５度旋光させる構成とし、光変調手段３の動作状態における中央部の透過率を略５０％とする。中央部の幅は第１実施例と同様に入射光束径の略１／３とする。
【００６８】
図８は、図７と同様に本実施例におけるＭＴＦの計算結果を元にして、Ｘ軸をマーク長、スペース長とし、Ｙ軸をこのマーク長およびスペース長の繰返しパターンに対するＭＴＦのゲインとしてプロットした図である。
【００６９】
光変調手段３を動作させることによって３ＴのＣＮＲが向上し、光変調手段３を非動作状態で（換言すると現行ＢＤに対応した光学系で）３３ＧＢの次世代ＢＤを再生する場合のＣＮＲと同程度に改善する。
【００７０】
光変調手段３が動作状態における光スポットのサイドローブは、本実施例の３６ＧＢの光ディスクにおけるスポットの走査時間に対応させると、概ね８Ｔがピークである。そこで図５に示したトランスバーサルフィルタ２７において対応するタップ係数Ｃ０、Ｃ１及びＣ１５、Ｃ１６を０に設定し、サイドローブによって検出される信号成分をマスクする。あるいは、トランスバーサルフィルタ２７を、１Ｔ相当の遅延時間を有する１８個の遅延回路１５を直列接続し、増幅器１６を１７個備えて、Ｃ０、・・・、Ｃ４、Ｃ６、・・・、Ｃ１２、Ｃ１４、・・・、Ｃ１８のタップ係数が可変な構成として、タップ係数Ｃ０、Ｃ１、Ｃ２及びＣ１６、Ｃ１７、Ｃ１８を０に設定する。
【００７１】
その他の装置構成、および記録再生動作については、第１実施例ないし第２実施例に準じる。なお、ＰＲクラスは第１実施例に準じてＰＲ（１，２，２，２，１）とするが、これに限定するものではなく、例えば拘束長を５から６に延長することで再生性能の向上が期待できる場合がある。
【００７２】
以上、本実施例の構成によれば、現行ＢＤの光学系でＰＲＭＬ方式を用いて３３ＧＢの次世代ＢＤを再生可能であるように、光変調手段３が動作状態の光スポットを用い、適切なレーザパワー設定と適切な再生回路設定とを行うことによって、３６ＧＢに高密度化した光ディスクの再生が可能である。
【００７３】
更に中央部の透過率を低下させる等によってＭＴＦの高周波側のゲインを持ち上げると共に、低周波側のゲインの低下に対応した波形歪みを補償する補償回路を追加することにより、３Ｔの空間周波数がカットオフ周波数より小さい限りにおいて高密度化が可能である。
【００７４】
なお、実施例においてＢＤという名称を用いて説明したが、当然ながらこれに限るものではなく、第１の光ディスクと、該光ディスクのフォーマットを流用して線方向の記録密度を向上した第２の光ディスクと、に対して記録再生を行う光ディスク装置に適用可能である。
【００７５】
なお、本発明は上記した実施例に限定されるものではなく、様々な変形例が含まれる。
例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００７６】
また、上記の各構成は、それらの一部又は全部が、ハードウェアで構成されても、プロセッサでプログラムが実行されることにより実現されるように構成されてもよい。また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００７７】
１    レーザ光源
２    コリメートレンズ
３    光変調手段
４    偏光ビームスプリッタ
５    １／４波長板
６    球面収差補正手段
７    対物レンズ
８    対物レンズアクチュエータ
９    検出レンズ
１０  光検出器
１１  フロントモニタ
１４  光ディスク
１５  遅延回路
１６  増幅器
１７  加算器
１８  光ピックアップ
１９  スピンドルモータ
２０  スライダ機構
２６  ＰＲＭＬ再生回路
【図１】
2011060396.tif 000003
【図２】
2011060396.tif 000004
【図３】
2011060396.tif 000005
【図４】
2011060396.tif 000006
【図５】
2011060396.tif 000007
【図６】
2011060396.tif 000008
【図７】
2011060396.tif 000009
【図８】
2011060396.tif 000010
【図９】
2011060396.tif 000011
【図１０】
2011060396.tif 000012